(57)【要約】【課題】暖房運転の有無や、熱媒の流量の有無に応じて切り換える必要のない簡易な構成、且つシンプルな制御で貯湯動作を実行できるコージェネレーションシステム、及び暖房設備を提供する。【解決手段】制御部が、冷却水が高温状態の時には、冷却水の温度に基づいて、排熱回収熱交換器を通流する湯水の流量を制御する湯水流量制御を実行すると共に、冷却水が中温もしくは高温状態の時には、熱媒循環路の熱媒と熱媒バイパス路の熱媒が合流した下流側の熱媒合流温度に基づいて、熱媒バイパス路への熱媒配分流量を制御する熱媒循環状態制御を実行する。【選択図】図５
2017020774.tif 000002
【特許請求の範囲】
【請求項１】
熱源機側熱媒受入部から受け入れた熱媒を予め設定された設定暖房熱媒温度に加熱し、加熱された熱媒を熱源機側熱媒吐出部から吐出して暖房用の熱媒循環路にて暖房放熱器へ導く暖房運転を実行可能な熱源機に併設され、
電力と熱とを発生する熱電併給部と、
前記熱電併給部で発生した熱を回収する冷却水を循環する冷却水循環路と、
貯湯タンクに貯留される湯水を循環する湯水循環路と、
前記冷却水循環路を循環する冷却水と、前記湯水循環路を循環する湯水とを熱交換する排熱回収熱交換器と、
前記熱媒循環路において、前記暖房放熱器を通過した後の熱媒の一部又は全部を通流する熱媒バイパス路と、
前記冷却水循環路を通流する冷却水と前記熱媒バイパス路を通流する熱媒とを熱交換する暖房用熱交換器と、
運転を制御する制御部を備えたコージェネレーションシステムであって、
前記制御部が、前記冷却水循環路に冷却水を循環する冷却水循環状態制御を実行している状態で、前記冷却水が高温状態の時には、前記冷却水の温度に基づいて、前記排熱回収熱交換器を通流する湯水の流量を制御する湯水流量制御を実行すると共に、前記冷却水が中温もしくは高温状態の時には、前記熱媒循環路の熱媒と前記熱媒バイパス路の熱媒が合流した下流側の熱媒合流温度に基づいて、前記熱媒バイパス路への熱媒配分流量を制御する熱媒循環状態制御を実行するコージェネレーションシステム。
【請求項２】
前記制御部が、前記湯水流量制御において、前記冷却水の温度が冷却水目標温度になるように、前記排熱回収熱交換器を通流する湯水の流量を制御する時定数と、前記熱媒循環状態制御において、前記熱媒合流温度が熱媒目標温度になるように、前記熱媒バイパス路への熱媒配分流量を制御する時定数とが、何れか一方を何れか他方の２倍以上に設定している請求項１に記載のコージェネレーションシステム。
【請求項３】
前記制御部が、前記冷却水循環状態制御を実行している状態で、前記冷却水が低温状態の時には、前記冷却水の温度に基づいて、前記熱媒バイパス路への熱媒配分流量を制御する熱媒循環状態制御を実行する請求項１又は２に記載のコージェネレーションシステム。
【請求項４】
前記制御部が、前記冷却水循環状態制御を実行している状態で、前記冷却水が低温状態の時には、前記熱媒バイパス路への熱媒配分流量を零に制御する熱媒循環状態制御を実行する請求項１又は２に記載のコージェネレーションシステム。
【請求項５】
熱源機側熱媒受入部から受け入れた熱媒を予め設定された設定暖房熱媒温度に加熱し、加熱された熱媒を熱源機側熱媒吐出部から吐出して暖房用の熱媒循環路にて暖房放熱器へ導く暖房運転を実行可能な熱源機に併設され、
電力と熱とを発生する熱電併給部と、
前記熱電併給部で発生した熱を回収する冷却水を循環する冷却水循環路と、
貯湯タンクに貯留される湯水を循環する湯水循環路と、
前記冷却水循環路を循環する冷却水と、前記湯水循環路を循環する湯水とを熱交換する排熱回収熱交換器と、
前記冷却水循環路において、前記排熱回収熱交換器を通過した後の冷却水の一部又は全部を通流する冷却水バイパス路と、
前記冷却水バイパス路を通流する冷却水と前記熱媒循環路を通流する熱媒とを熱交換する暖房用熱交換器と、
運転を制御する制御部を備えたコージェネレーションシステムであって、
前記制御部が、前記冷却水循環路に冷却水を循環する冷却水基準循環状態制御を実行している状態で、前記冷却水が高温状態の時には、前記冷却水の温度に基づいて、前記排熱回収熱交換器を通流する湯水の流量を制御する湯水流量制御を実行すると共に、前記冷却水が中温もしくは高温状態の時には、前記暖房用熱交換器の出口の熱媒の温度に基づいて、前記冷却水バイパス路への冷却水配分流量を制御する冷却水循環状態制御を実行するコージェネレーションシステム。
【請求項６】
前記制御部が、前記湯水流量制御において、前記冷却水の温度が冷却水目標温度になるように、前記排熱回収熱交換器を通流する湯水の流量を制御する時定数と、前記冷却水循環状態制御において、前記暖房用熱交換器の出口の熱媒の温度が熱媒目標温度となるように、前記冷却水バイパス路への冷却水配分流量を制御する時定数とが、何れか一方を何れか他方の２倍以上に設定している請求項５に記載のコージェネレーションシステム。
【請求項７】
前記制御部が、前記冷却水基準循環状態制御を実行している状態で、前記冷却水が低温状態の時には、前記冷却水の温度に基づいて、前記冷却水バイパス路への冷却水配分流量を制御する冷却水循環状態制御を実行する請求項５又は６に記載のコージェネレーションシステム。
【請求項８】
前記制御部が、前記冷却水基準循環状態制御を実行している状態で、前記冷却水が低温状態の時には、前記冷却水バイパス路への冷却水配分流量を零に制御する冷却水循環状態制御を実行する請求項５又は６に記載のコージェネレーションシステム。
【請求項９】
請求項１〜８の何れか一項に記載のコージェネレーションシステムを備えた暖房設備であって、
前記コージェネレーションシステムと前記熱源機とを、互いの間に熱媒を循環させる暖房用の前記熱媒循環路を介して接続している暖房設備。
【発明の詳細な説明】
【技術分野】
【０００１】
本発明は、熱源機側熱媒受入部から受け入れた熱媒を予め設定された設定暖房熱媒温度に加熱し、加熱された熱媒を熱源機側熱媒吐出部から吐出して暖房用の熱媒循環路にて暖房放熱器へ導く暖房運転を実行可能な熱源機に併設され、電力と熱とを発生する熱電併給部と、前記熱電併給部で発生した熱を回収する冷却水を循環する冷却水循環路と、貯湯タンクに貯留される湯水を循環する湯水循環路と、前記冷却水循環路を循環する冷却水と、前記湯水循環路を循環する湯水とを熱交換する排熱回収熱交換器と、前記熱媒循環路において、前記暖房放熱器を通過した後の熱媒の一部又は全部を通流する熱媒バイパス路と、前記冷却水循環路を通流する冷却水と前記熱媒バイパス路を通流する熱媒とを熱交換する暖房用熱交換器と、運転を制御する制御部を備えたコージェネレーションシステム、
熱源機側熱媒受入部から受け入れた熱媒を予め設定された設定暖房熱媒温度に加熱し、加熱された熱媒を熱源機側熱媒吐出部から吐出して暖房用の熱媒循環路にて暖房放熱器へ導く暖房運転を実行可能な熱源機に併設され、電力と熱とを発生する熱電併給部と、前記熱電併給部で発生した熱を回収する冷却水を循環する冷却水循環路と、貯湯タンクに貯留される湯水を循環する湯水循環路と、前記冷却水循環路を循環する冷却水と、前記湯水循環路を循環する湯水とを熱交換する排熱回収熱交換器と、前記冷却水循環路において、前記排熱回収熱交換器を通過した後の冷却水の一部又は全部を通流する冷却水バイパス路と、前記冷却水バイパス路を通流する冷却水と前記熱媒循環路を通流する熱媒とを熱交換する暖房用熱交換器と、運転を制御する制御部を備えたコージェネレーションシステム、及びそれを備えた暖房設備に関する。
【背景技術】
【０００２】
コージェネレーションシステムは、通常、ガスエンジンにて駆動される発電装置（以下、エンジン駆動発電機と略称する場合がある）や、燃料電池等から構成される熱電併給部を備え、当該熱電併給部で発電を行ったときに発生する熱を利用して湯水を加熱し、当該加熱された湯水を貯湯タンクに貯留するように構成されている。
説明を追加すると、コージェネレーションシステム本体として、熱電併給部にて発生する熱を回収した冷却水を循環する冷却水循環路と、貯湯タンクの下部の湯水を取り出して貯湯タンクの上部へ戻す湯水循環路と、冷却水循環路を循環する冷却水と湯水循環路を循環する湯水とを熱交換する排熱回収熱交換器と、冷却水循環路に冷却水を循環する冷却水ポンプと、湯水循環路に湯水を循環させる湯水ポンプとを備えたものが知られている。
尚、湯水循環路には、湯水循環路において貯湯タンクをバイパスする状態で湯水を循環可能な湯水バイパス路が設けられていると共に、当該湯水循環路と湯水バイパス路の接続部に、貯湯タンクの側と湯水バイパス路の側とを通流する湯水の流量割合を調整可能な三方弁が設けられており、当該三方弁により流量割合を調整する形態で、貯湯タンクへの貯留される湯水の温度を、目標の貯湯温度へ制御するように構成されている。
当該構成においては、貯湯タンクへ熱電併給部で発生した熱を貯留する場合、熱電併給部を駆動させている状態で、冷却水ポンプを働かせて冷却水循環路へ冷却水を循環させると共に、湯水ポンプを働かせて湯水循環路に湯水を循環させて、排熱回収熱交換器で冷却水の保有する排熱を湯水の側へ回収する形態で、貯湯運転を実行する。
【０００３】
更に、特許文献１に開示の技術では、コージェネレーションシステム本体に併設して、床暖房設備等の暖房放熱器へ熱媒を循環する熱媒循環路と、当該熱媒循環路を循環する熱媒を圧送する熱媒ポンプと、熱媒循環路を循環する熱媒を加熱する熱源機を併設したものが知られている。
説明を追加すると、当該特許文献１に開示の技術では、熱媒循環路において、熱媒循環路を通流する熱媒と冷却水循環路を循環する冷却水とを熱交換する暖房用熱交換器が設けられており、暖房放熱器へは、暖房用熱交換器にて加熱されると共に熱源機にて加熱された後の熱媒が通流する形態で、暖房運転が実行される。
さらに、当該特許文献１に開示の技術においては、暖房運転の一形態として、湯水ポンプを働かせることで、湯水循環路に湯水を循環させ、排熱回収熱交換器にて排熱の一部を回収して、貯湯タンクへ貯湯すると共に、排熱の残部を暖房の用に供する運転である、排熱の一部を蓄熱する暖房運転を実行可能に構成されている。
【先行技術文献】
【特許文献】
【０００４】
【特許文献１】特開２０１４−１４２１１７号公報
【発明の概要】
【発明が解決しようとする課題】
【０００５】
上記特許文献１に開示の技術にあっては、その〔００６６〕段落に示されているように、貯湯運転時には、湯水循環路で貯湯タンクへ流入する前の湯水温度（所謂、貯湯温度）が７５℃となるように、上述した三方弁の開度を制御して、排熱回収熱交換器の上流側に再循環される湯水の割合を制御して、貯湯動作を行っており、排熱の一部を蓄熱する暖房運転時には、その〔００７６〕〜〔００７７〕段落に示されるように、暖房用熱交換器の熱媒の出温度が目標温度となるように、排熱回収熱交換器を通過する湯水の流量を制御して、貯湯動作を行っている。
このような制御形態にあっては、暖房運転の有無により貯湯動作のための制御が異なる上、暖房運転中でも熱媒の流量が零になることがあるため、熱媒の流量の有無を検出する必要があり、制御において取得しなければいけない情報が多く、構成が複雑になると共に、制御も複雑になるという問題があった。
【０００６】
本発明は、上述の課題に鑑みてなされたものであり、その目的は、暖房運転の有無や、熱媒の流量の有無に応じて切り換える必要のない簡易な構成、且つシンプルな制御で貯湯動作を実行できるコージェネレーションシステム、及び暖房設備を提供することにある。
【課題を解決するための手段】
【０００７】
上記目的を達成するためのコージェネレーションシステムは、
熱源機側熱媒受入部から受け入れた熱媒を予め設定された設定暖房熱媒温度に加熱し、加熱された熱媒を熱源機側熱媒吐出部から吐出して暖房用の熱媒循環路にて暖房放熱器へ導く暖房運転を実行可能な熱源機に併設され、
電力と熱とを発生する熱電併給部と、
前記熱電併給部で発生した熱を回収する冷却水を循環する冷却水循環路と、
貯湯タンクに貯留される湯水を循環する湯水循環路と、
前記冷却水循環路を循環する冷却水と、前記湯水循環路を循環する湯水とを熱交換する排熱回収熱交換器と、
前記熱媒循環路において、前記暖房放熱器を通過した後の熱媒の一部又は全部を通流する熱媒バイパス路と、
前記冷却水循環路を通流する冷却水と前記熱媒バイパス路を通流する熱媒とを熱交換する暖房用熱交換器と、
運転を制御する制御部を備えたコージェネレーションシステムであって、その特徴構成は、
前記制御部が、前記冷却水循環路に冷却水を循環する冷却水循環状態制御を実行している状態で、前記冷却水が高温状態の時には、前記冷却水の温度に基づいて、前記排熱回収熱交換器を通流する湯水の流量を制御する湯水流量制御を実行すると共に、前記冷却水が中温もしくは高温状態の時には、前記熱媒循環路の熱媒と前記熱媒バイパス路の熱媒が合流した下流側の熱媒合流温度に基づいて、前記熱媒バイパス路への熱媒配分流量を制御する熱媒循環状態制御を実行する点にある。
【０００８】
上記特徴構成によれば、湯水の流量を制御する湯水流量制御については、冷却水循環路を循環する冷却水の温度をパラメータとし、熱媒循環路における熱媒の循環状態を制御する熱媒循環状態制御については、熱媒循環路の熱媒合流温度をパラメータとして制御を実行するから、暖房運転の有無や熱媒の流量の有無に係る情報を取得する必要がなく、構成を簡易にできる。更に、暖房運転の有無や熱媒の流量の有無によって、湯水流量制御を切り換える必要がないから、暖房運転の実行中及び停止中の双方における貯湯制御を、シンプルな制御で実現できる。
説明を追加すると、上記特徴構成に係る制御によれば、暖房運転の有無や熱媒流量の有無に関わらず、制御部は、冷却水が高温状態になれば、排熱回収熱交換器を通流する湯水の流量を適切に制御して、目標の貯湯温度となった湯水を貯湯タンクへ貯留できる。しかも、冷却水が高温状態及び中温状態にあるときには、排熱を暖房運転に有効に利用することができる。
以上の発明により、暖房運転の有無や、熱媒の流量の有無に応じて切り換える必要のない簡易な構成、且つシンプルな制御で貯湯動作を実行できるコージェネレーションシステム、及び暖房設備を実現できる。
【０００９】
コージェネレーションシステムの更なる特徴構成は、
前記制御部が、前記湯水流量制御において、前記冷却水の温度が冷却水目標温度になるように、前記排熱回収熱交換器を通流する湯水の流量を制御する時定数と、前記熱媒循環状態制御において、前記熱媒合流温度が熱媒目標温度になるように、前記熱媒バイパス路への熱媒配分流量を制御する時定数とが、何れか一方を何れか他方の２倍以上に設定している点にある。
【００１０】
上記特徴構成によれば、湯水流量制御において、冷却水の温度が冷却水目標温度になるように、排熱回収熱交換器を通流する湯水の流量を急峻に制御する時には、熱媒循環状態制御による冷却水の温度変化が緩慢になる一方、湯水流量制御において、冷却水の温度が冷却水目標温度になるように、排熱回収熱交換器を通流する湯水の流量を緩慢に制御する時には、熱媒循環状態制御による冷却水の温度変化が急峻になるので、湯水流量制御を行なう際に、熱媒循環状態制御による冷却水の温度変化による干渉作用（両者の制御の時定数が小さくて、温度を昇温させる側の制御と降温させる側の制御とが、短時間の間に何度も切り換わる状態）を回避できる。
【００１１】
コージェネレーションシステムの更なる特徴構成は、
前記制御部が、前記冷却水循環状態制御を実行している状態で、前記冷却水が低温状態の時には、前記冷却水の温度に基づいて、前記熱媒バイパス路への熱媒配分流量を制御する熱媒循環状態制御を実行する点にある。
【００１２】
上記特徴構成によれば、冷却水が低温状態にあるときには、熱電併給部への冷却水の戻り温度を、例えば、熱電併給部に必要な下限温度以上の温度に良好に設定でき、熱電併給部の保護を良好に図ることができる。
【００１３】
コージェネレーションシステムの更なる特徴構成は、
前記制御部が、前記冷却水循環状態制御を実行している状態で、前記冷却水が低温状態の時には、前記熱媒バイパス路への熱媒配分流量を零に制御する熱媒循環状態制御を実行する点にある。
【００１４】
上記特徴構成によれば、冷却水が低温状態にあるときには、熱電併給部への冷却水の戻り温度を、例えば、熱電併給部に必要な下限温度以上の温度に迅速に設定でき、熱電併給部の保護を良好に図ることができる。
【００１５】
上記目的を達成するためのコージェネレーションシステムは、
熱源機側熱媒受入部から受け入れた熱媒を予め設定された設定暖房熱媒温度に加熱し、加熱された熱媒を熱源機側熱媒吐出部から吐出して暖房用の熱媒循環路にて暖房放熱器へ導く暖房運転を実行可能な熱源機に併設され、
電力と熱とを発生する熱電併給部と、
前記熱電併給部で発生した熱を回収する冷却水を循環する冷却水循環路と、
貯湯タンクに貯留される湯水を循環する湯水循環路と、
前記冷却水循環路を循環する冷却水と、前記湯水循環路を循環する湯水とを熱交換する排熱回収熱交換器と、
前記冷却水循環路において、前記排熱回収熱交換器を通過した後の冷却水の一部又は全部を通流する冷却水バイパス路と、
前記冷却水バイパス路を通流する冷却水と前記熱媒循環路を通流する熱媒とを熱交換する暖房用熱交換器と、
運転を制御する制御部を備えたコージェネレーションシステムであって、その特徴構成は、
前記制御部が、前記冷却水循環路に冷却水を循環する冷却水基準循環状態制御を実行している状態で、前記冷却水が高温状態の時には、前記冷却水の温度に基づいて、前記排熱回収熱交換器を通流する湯水の流量を制御する湯水流量制御を実行すると共に、前記冷却水が中温もしくは高温状態の時には、前記暖房用熱交換器の出口の熱媒の温度に基づいて、前記冷却水バイパス路への冷却水配分流量を制御する冷却水循環状態制御を実行する点にある。
【００１６】
上記特徴構成によれば、湯水の流量を制御する湯水流量制御については、冷却水循環路を循環する冷却水の温度をパラメータとし、熱媒循環路における熱媒の循環状態を制御する熱媒循環状態制御については、暖房用熱交換器の出口の熱媒の温度をパラメータとして制御を実行するから、暖房運転の有無や熱媒の流量の有無に係る情報を取得する必要がなく、構成を簡易にできる。更に、暖房運転の有無や熱媒の流量の有無によって、湯水流量制御を切り換える必要がないから、暖房運転の実行中及び停止中の双方における貯湯制御を、シンプルな制御で実現できる。
説明を追加すると、上記特徴構成に係る制御によれば、暖房運転の有無や熱媒流量の有無に関わらず、制御部は、冷却水が高温状態になれば、排熱回収熱交換器を通流する湯水の流量を適切に制御して、目標の貯湯温度となった湯水を貯湯タンクへ貯留できる。しかも、冷却水が高温状態及び中温状態にあるときには、排熱を暖房運転に有効に利用することができる。
以上の発明により、暖房運転の有無や、熱媒の流量の有無に応じて切り換える必要のない簡易な構成、且つシンプルな制御で貯湯動作を実行できるコージェネレーションシステム、及び暖房設備を実現できる。
【００１７】
コージェネレーションシステムの更なる特徴構成は、
前記制御部が、前記湯水流量制御において、前記冷却水の温度が冷却水目標温度になるように、前記排熱回収熱交換器を通流する湯水の流量を制御する時定数と、前記冷却水循環状態制御において、前記暖房用熱交換器の出口の熱媒の温度が熱媒目標温度となるように、前記冷却水バイパス路への冷却水配分流量を制御する時定数とが、何れか一方を何れか他方の２倍以上に設定している点にある。
【００１８】
上記特徴構成によれば、湯水流量制御において、冷却水の温度が冷却水目標温度になるように、排熱回収熱交換器を通流する湯水の流量を急峻に制御する時には、冷却水循環状態制御による冷却水の温度変化が緩慢になる一方、湯水流量制御において、冷却水の温度が冷却水目標温度になるように、排熱回収熱交換器を通流する湯水の流量を緩慢に制御する時には、冷却水循環状態制御による冷却水の温度変化が急峻になるので、湯水流量制御を行なう際に、冷却水循環状態制御による冷却水の温度変化による干渉作用（両者の制御の時定数が小さくて、温度を昇温させる側の制御と降温させる側の制御とが、短時間の間に何度も切り換わる状態）を回避できる。
【００１９】
コージェネレーションシステムの更なる特徴構成は、
前記制御部が、前記冷却水基準循環状態制御を実行している状態で、前記冷却水が低温状態の時には、前記冷却水の温度に基づいて、前記冷却水バイパス路への冷却水配分流量を制御する冷却水循環状態制御を実行する点にある。
【００２０】
上記特徴構成によれば、冷却水が低温状態にあるときには、熱電併給部への冷却水の戻り温度を、例えば、熱電併給部に必要な下限温度以上の温度に良好に設定でき、熱電併給部の保護を良好に図ることができる。
【００２１】
コージェネレーションシステムの更なる特徴構成は、
前記制御部が、前記冷却水基準循環状態制御を実行している状態で、前記冷却水が低温状態の時には、前記冷却水バイパス路への冷却水配分流量を零に制御する冷却水循環状態制御を実行する点にある。
【００２２】
上記特徴構成によれば、冷却水が低温状態にあるときには、熱電併給部への冷却水の戻り温度を、例えば、熱電併給部に必要な下限温度以上の温度に迅速に設定でき、熱電併給部の保護を良好に図ることができる。
【００２３】
上述したコージェネレーションシステムを備えた暖房設備の特徴構成は、
前記コージェネレーションシステムと前記熱源機とを、互いの間に熱媒を循環させる暖房用の前記熱媒循環路を介して接続している点にある。
【００２４】
本発明の暖房設備にあっては、上述したコージェネレーションシステムが奏する作用効果と同様の作用効果を、良好に発揮することができる。
【図面の簡単な説明】
【００２５】
【図１】コージェネレーションシステムとそれに併設される熱源機との接続構成、及び熱源機の主要構成を示す概略構成図
【図２】第１実施形態での給湯運転時のコージェネレーションシステムにおける湯水通流状態を示す図
【図３】第１実施形態での貯湯運転時のコージェネレーションシステムにおける湯水循環状態、及び冷却水循環状態を示す図
【図４】第１実施形態での排熱を蓄熱しない暖房運転時のコージェネレーションシステムにおける冷却水循環状態、及び熱媒循環状態を示す図
【図５】第１実施形態での排熱の一部を蓄熱する暖房運転時のコージェネレーションシステムにおける湯水循環状態、冷却水循環状態、及び熱媒循環状態を示す図
【図６】湯水流量制御の制御フロー図
【図７】熱媒循環状態制御に係る制御フロー図
【図８】熱媒循環状態制御第１処理に係る制御フロー図
【図９】熱媒循環状態制御第２処理に係る制御フロー図
【図１０】第２実施形態での給湯運転時のコージェネレーションシステムにおける湯水通流状態を示す図
【図１１】第２実施形態での貯湯運転時のコージェネレーションシステムにおける湯水循環状態、及び冷却水循環状態を示す図
【図１２】第２実施形態での排熱を蓄熱しない暖房運転時のコージェネレーションシステムにおける冷却水循環状態、及び熱媒循環状態を示す図
【図１３】第２実施形態での排熱の一部を蓄熱する暖房運転時のコージェネレーションシステムにおける湯水循環状態、冷却水循環状態、及び熱媒循環状態を示す図
【図１４】冷却水循環状態制御に係る制御フロー図
【図１５】冷却水循環状態制御第１処理に係る制御フロー図
【図１６】冷却水循環状態制御第２処理に係る制御フロー図
【発明を実施するための形態】
【００２６】
［第１実施形態］
当該第１実施形態に係るコージェネレーションシステム４０、及びそれを備えた暖房設備１００は、暖房運転の有無や、熱媒Ｈの流量の有無に応じて切り換える必要のない簡易な構成、且つシンプルな制御で貯湯動作が実行可能なものに関する。
以下、当該コージェネレーションシステム４０、及びそれを備えた暖房設備１００を、図面を用いて説明する。
【００２７】
〔熱源機〕
熱源機１０は、図１に示すように、詳細については後述するが、一般的な給湯暖房器として構成され、上水道から熱源機側入水部２０ａを介して供給された湯水Ｗを、予め設定された設定給湯温度に加熱して給湯栓３０に供給する、所謂給湯運転を行うと共に、暖房放熱器３３へ加熱した熱媒Ｈを循環させる暖房用循環路３４（熱媒循環路に含まれる概念）を通流する熱媒Ｈを加熱する暖房運転を行うものであり、後述するコージェネレーションシステム４０に併設されるように構成されている。
外部インターフェースとしては、上水管路２０の一端側に設けられ外部から湯水Ｗを当該上水管路２０に取り込む熱源機側入水部２０ａ、同上水管路２０の他端側に設けられ当該上水管路２０の湯水Ｗを外部に吐出する熱源機側出水部２０ｂ、熱媒流路１６の熱媒Ｈを外部から受け入れる熱源機側熱媒受入部１６ａ、同熱媒流路１６の熱媒Ｈを外部へ吐出する熱源機側熱媒吐出部１６ｂ、及び、天然ガス系都市ガスである燃料ガスＧを取り込む燃料ガス供給部１４、等が設けられている。
熱源機側出水部２０ｂは、給湯栓３０に接続されることで、当該熱源機側出水部２０ｂから吐出された湯水Ｗが給湯栓３０に供給される。
また、熱源機側熱媒受入部１６ａ及び熱源機側熱媒吐出部１６ｂは、温水床暖房パネルなどの暖房放熱器３３との間に設けられた暖房用循環路３４を循環する熱媒Ｈを取込又は吐出する形態で、当該暖房用循環路３４に接続される。当該暖房用循環路３４は、熱源機側熱媒吐出部１６ｂから吐出された熱媒Ｈの全量のうち、所定流量が、往きヘッダ３１を介して暖房用循環路３４に設けられた暖房放熱器３３に供給され、一方、暖房放熱器３３を通過した熱媒Ｈが、戻りヘッダ３２を通過し、当該戻りヘッダ３２を通過した熱媒Ｈの全量をコージェネレーションシステム４０へ導く本体側熱媒流路１０４（熱媒循環路に含まれる概念）を通流して、熱源機側熱媒受入部１６ａに戻すように配設されている。
【００２８】
熱源機１０には、後述するバーナ１１ａ，１２ａの作動を制御したり、その他の弁やポンプなどの各種補機の運転を制御したりするコンピュータからなる熱源機側制御部２５が設けられている。
熱源機側制御部２５は、住居内に設置されたリモコン２７との間で通信部２６を介して通信可能に構成されており、この構成により、リモコン２７から給湯時の設定給湯温度や暖房運転の開始及び停止を操作することができる。また、この通信部２６は、後述するコージェネレーションシステム４０側の通信部９６との間でも、無線又は有線での双方向の通信が可能に構成されている。
【００２９】
熱源機１０は、熱源機側入水部２０ａに取り込んで熱源機側出水部２０ｂから吐出される湯水Ｗを加熱するための給湯用加熱部１１と、熱源機側熱媒受入部１６ａに取り込んで熱源機側熱媒吐出部１６ｂから吐出される熱媒Ｈを加熱するための暖房用加熱部１２とを有する。
給湯用加熱部１１は、調整弁１１ｃを介して供給される燃料ガスＧをファン１３により供給される燃焼用空気により燃焼させるバーナ１１ａと、当該バーナ１１ａから排出される高温の燃焼ガスとの熱交換により上水管路２０を通流する湯水Ｗを加熱する給湯熱交換器１１ｂとを有して構成されている。
一方、暖房用加熱部１２は、調整弁１２ｃを介して供給される燃料ガスＧをファン１３により供給される燃焼用空気により燃焼させるバーナ１２ａと、当該バーナ１２ａから排出される高温の燃焼ガスとの熱交換により熱媒流路１６を通流する熱媒Ｈを加熱する暖房熱交換器１２ｂとを有して構成されている。
【００３０】
また、上水管路２０には、熱源機側入水部２０ａから取り込んだ湯水Ｗの温度（以下「熱源機側入水温度」と呼ぶ場合がある。）を検出する第３温度センサ２１と、熱源機側出水部２０ｂから吐出する湯水Ｗの温度（以下「熱源機側出水温度」と呼ぶ場合がある。）を検出する第４温度センサ２２と、湯水Ｗの通流を検出する通水スイッチ２３とが配置されている。
一方、熱媒流路１６には、熱源機側熱媒受入部１６ａから取り込んだ熱媒Ｈの温度（以下「熱源機側入熱媒温度」と呼ぶ場合がある。）を検出する第１温度センサ１７と、熱源機側熱媒吐出部１６ｂから吐出する熱媒Ｈの温度（以下「熱源機側出熱媒温度」と呼ぶ場合がある。）を検出する第２温度センサ１８と、熱媒Ｈを送出する熱媒ポンプ１９とが配置されている。
【００３１】
このような構成により、熱源機側制御部２５は、熱源機側入水部２０ａから供給された湯水Ｗを予めリモコン２７で設定された設定給湯温度に加熱して給湯栓３０に供給する給湯運転や、暖房運転時において暖房放熱器３３との間に設けられた暖房用循環路３４を循環する熱媒Ｈを予め設定された目標温度に加熱する暖房運転を実行できる。以下に、給湯運転と暖房運転との詳細について説明を加える。
【００３２】
（給湯運転）
給湯運転は、上水管路２０に配置された通水スイッチ２３により給湯栓３０の開栓による湯水Ｗの流通を検知している状態において、第３温度センサ２１で検出される熱源機側入水温度が設定給湯温度未満である場合に、バーナ１１ａで燃料ガスＧを燃焼させる形態で実行される。また、この給湯運転では、第４温度センサ２２で検出される熱源機側出水温度が設定給湯温度になるように、バーナ１１ａでの燃焼量が、燃料ガスＧの供給量を調整する調整弁１１ｃの開度制御により調整される。
従って、給湯栓３０を開栓した場合には、適宜給湯運転が実行されて、その給湯栓３０には設定給湯温度の湯水Ｗが供給されることになる。
【００３３】
更に、上水管路２０には、給湯熱交換器１１ｂの上流側と下流側とを接続する形態でバイパス調整弁２４が設けられている。
給湯運転では、上述のように調整弁１１ｃの開度制御により、ガスの流量を制御しバーナ１１ａでの燃焼量を調整することに加えて、バイパス調整弁２４を開度制御して、バイパス流量を細かく制御することにより、給湯の出湯温度をより正確に設定温度に制御する。
【００３４】
（暖房運転）
暖房運転は、リモコン２７において暖房運転の開始ボタンが押操作されて熱媒流路１６に配置された熱媒ポンプ１９の作動が開始され、熱媒流路１６に熱媒Ｈが通流している状態で、第１温度センサ１７で検出される熱源機側入熱媒温度が目標温度未満である場合に、バーナ１２ａで燃料ガスＧを燃焼させる形態で実行される。尚、当該暖房運転では、第２温度センサ１８で検出される熱源機側出熱媒温度が目標温度になるように、バーナ１２ａの燃焼状態が、燃料ガスＧの流量制御を実行可能であると共に、燃料ガスＧの供給開始・供給停止状態を切り替え可能な調整弁１２ｃの開度制御により調整される。
【００３５】
〔コージェネレーションシステム〕
次に、第１実施形態に係るコージェネレーションシステム４０について、図２〜５に基づいて説明する。
尚、図２〜５は、コージェネレーションシステム４０の各種運転状態を示すものであるが、湯水Ｗ、冷却水Ｃ，又は熱媒Ｈの流体が通流している配管を太実線で表示し、当該流体が通流していない配管を細実線で表示している。
図２に示すように、コージェネレーションシステム４０は、上述した熱源機１０に併設される一の筐体内に各種機器を配置した一体型に構成されている。
尚、このコージェネレーションシステム４０は、外部インターフェースとして、上水道から湯水Ｗ（上水）を取り込む本体側入水部８０ａ、湯水Ｗを熱源機１０側へ吐出する本体側出水部７８ａ、貯湯タンク９０の排水を行う排水弁７５、熱源機１０側から暖房用熱媒Ｈを取り込む本体側熱媒受入部５８ａ、熱源機１０側へ同熱媒Ｈを吐出する本体側熱媒吐出部５８ｂなどが設けられている。
更に、当該コージェネレーションシステム４０側に設けられた熱電併給部４１並びに弁やポンプなどの各種補機の運転を制御するコンピュータからなる本体側制御部９５が設けられている。この本体側制御部９５は、通信部９６を介して、熱源機１０側の通信部２６との間で無線又は有線での双方向通信を行ったり、外部に設けた表示部（図示省略）に運転状態などの所定の表示を行ったりするための通信を行うように構成されている。
具体的には、詳細については後述するが、熱源機１０の通信部２６からコージェネレーションシステム４０の通信部９６に対しては、熱源機１０側で設定された設定給湯温度や暖房運転の目標温度が出力される。
【００３６】
コージェネレーションシステム４０は、エンジン駆動式発電機などのような電力と熱とを発生する熱電併給部４１を備え、発生した電力は適宜インバータ等を用いて商用電力と連系する形態で外部の電力負荷等に供給される。また、熱電併給部４１が発生した熱は湯水Ｗの加熱に利用され、かかる加熱された湯水Ｗを貯留する貯湯タンク９０が設けられている。
【００３７】
熱電併給部４１は、内部に設けられた冷却水ジャケット（図示省略）を通流する冷却水Ｃにより冷却される構造を有し、その冷却水Ｃが循環する冷却水循環路４２が設けられている。
冷却水循環路４２には、冷却水Ｃの循環方向に沿って、冷却水Ｃを送り出す冷却水ポンプ４６、冷却水の通流を断続可能な電磁弁４７、熱電併給部４１における冷却水ジャケット（図示省略）、当該冷却水ジャケットから吐出された冷却水Ｃの温度を検出する第６温度センサ５０、排熱回収熱交換器５５、暖房用熱交換器５６、及び冷却水Ｃを一時的に蓄えるバッファタンク５１が、記載の順で配置されている。
バッファタンク５１には、一時的に貯留される冷却水Ｃの温度を検出する第５温度センサ４９が設けられている。また、本体側入水部８０ａに供給された湯水Ｗが、湯水補充流路１０５及び電磁弁５２を介して適宜冷却水Ｃとしてバッファタンク５１に補充される。
また、暖房用熱交換器５６の下流側でバッファタンク５１の上流側には、冷却水Ｃの温度を検出する第７温度センサ５３が設けられており、排熱回収熱交換器５５の下流側で暖房用熱交換器５６の上流側には、冷却水Ｃの温度を検出する第８温度センサ５４が設けられている。
尚、当該第１実施形態において、後述する各種制御で、冷却水Ｃの温度に基づいた制御を行うが、これらの制御において、冷却水Ｃの温度は第５温度センサ４９で検出される温度、もしくは第７温度センサ５３で検出される温度を用いることとする。尚、以下の説明において、『バッファタンクの冷却水温度』は第５温度センサ４９で検出される温度を、『暖房用熱交換器を通過した冷却水温度』は第７温度センサ５３で検出される温度を意味するものとする。
【００３８】
更に、冷却水循環路４２には、バッファタンク５１の下流側で熱電併給部４１の上流側の部位と、熱電併給部４１の下流側で排熱回収熱交換器５５の上流側の部位とを接続する冷却水バイパス路４４が架設されており、当該冷却水バイパス路４４には、冷却水Ｃの通流を断続可能な電磁弁４８が配置されている。
即ち、冷却水循環路４２に冷却水Ｃが循環している状態において、熱電併給部４１の上流側に配置された電磁弁４７を閉弁すると共に冷却水バイパス路４４に配置された電磁弁４８を開弁することで、冷却水Ｃの全量を、熱電併給部４１をバイパスさせて冷却水バイパス路４４に通流することができる。
【００３９】
排熱回収熱交換器５５は、冷却水循環路４２を通流する冷却水Ｃと加熱貯湯循環路６０を通流する湯水Ｗとの間で熱交換を行うように構成されている。一方、暖房用熱交換器５６は、冷却水循環路４２を通流する冷却水Ｃと本体側熱媒流路１０４を通流する熱媒Ｈとの間で熱交換を行うように構成されている。
即ち、熱電併給部４１において熱を発生している状態で、冷却水ポンプ４６を作動させて、冷却水循環路４２に冷却水Ｃを循環させると、熱電併給部４１を通過して加熱された冷却水Ｃが、排熱回収熱交換器５５及び暖房用熱交換器５６を通過することで湯水Ｗ及び熱媒Ｈとの間で熱交換を行い、再び熱電併給部４１に供給されることになる。
【００４０】
貯湯タンク９０は、下部９０ｂに湯水Ｗが供給され上部９０ａから本体側出水部７８ａに湯水Ｗが取り出される密閉式タンクとして構成されている。また、貯湯タンク９０の下部９０ｂから取り出した湯水Ｗを、熱電併給部４１が発生した熱で加熱するべく排熱回収熱交換器５５に通流させて、貯湯タンク９０の上部９０ａに戻す形態で、湯水Ｗを循環させる加熱貯湯循環路６０が設けられている。
この加熱貯湯循環路６０は、貯湯タンク９０の下部９０ｂに対しては、当該下部９０ｂに接続された底部管路７２に対して三方弁７３を介して接続されており、一方、貯湯タンク９０の上部９０ａに対しては、当該上部９０ａに接続された上部管路６６に対して比例弁６５を介して接続されている。
また、上部管路６６には、湯水バイパス路６７が接続されており、また、この湯水バイパス路６７の他方側端部は、逆止弁６９を介して加熱貯湯循環路６０に配置された三方調整弁６８に接続されている。
【００４１】
この加熱貯湯循環路６０には、湯水Ｗの流通方向に沿って、湯水バイパス路６７を通じて流入する湯水Ｗの流量を調整する三方調整弁６８、湯水Ｗを送り出す湯水ポンプ６１、排熱回収熱交換器５５、当該排熱回収熱交換器５５を通過した後の湯水Ｗの温度を検出する第９温度センサ６３、同湯水Ｗの流量を検出する循環流量センサ６２、貯湯タンク９０の上部９０ａに流入する湯水Ｗの温度（以下「貯湯温度」と呼ぶ場合がある。）を検出する第１０温度センサ６４、比例弁６５、及び、貯湯タンク９０が、記載の順で配置されている。
尚、加熱貯湯循環路６０には、蓄熱による暖房運転の際に、貯湯タンク９０の上部から取り出され、排熱回収熱交換器５５にて冷却水Ｃに熱を与えた後の湯水Ｗを貯湯タンク９０の下部に戻す蓄熱暖房用湯水通流路７０が併設されており、当該蓄熱暖房用湯水通流路７０には、湯水の流量を調整可能な比例弁７１が設けられている。
【００４２】
また、貯湯タンク９０の上部９０ａに接続された上部管路６６は、湯水三方調整弁７７及び出湯管路７８を介して本体側出水部７８ａに接続されており、その湯水三方調整弁７７の上流側には、貯湯タンク９０の上部９０ａから上部管路６６に取り出された湯水Ｗの温度を検出する第１１温度センサ７６が設けられている。尚、このタンク取出湯水温度の検出は、第１１温度センサ７６の代わりに、貯湯タンク９０の上下方向に分散配置した複数の第１４温度センサ９１のうち最上部に設けられた第１５温度センサ９１ａで行っても構わない。
また、この湯水三方調整弁７７には、本体側入水部８０ａに通じる給水管路８２が接続されている。更に、出湯管路７８と給水管路８２とは、バイパス管路８６により接続されており、このバイパス管路８６には、湯水Ｗの通流を断続可能な電磁弁８７が配置されている。
即ち、上記湯水三方調整弁７７は、貯湯タンク９０の上部９０ａから本体側出水部７８ａに供給される湯水Ｗに対し、混合比調整を伴って、給水管路８２から供給される湯水Ｗを混合可能な混合部として機能する。
尚、出湯管路７８のバイパス管路８６との接続部の下流側には、湯水Ｗの通流方向に沿って、湯水Ｗの流量を検出する流量センサ７９、本体側出水部７８ａから吐出される湯水Ｗの温度を検出する第１２温度センサ８１が、記載の順に配置されている。
一方、給水管路８２のバイパス管路８６との接続部の上流側には、湯水Ｗの通流方向に沿って、湯水Ｗの圧力を調整する減圧弁８４、本体側入水部８０ａに供給された湯水Ｗの温度を検出する第１３温度センサ８５、湯水Ｗの逆流を阻止する逆止弁８３が、記載の順に配置されている。
【００４３】
また、給水管路８２は、貯湯タンク９０の下部９０ｂに接続された底部管路７２の三方弁７３に対して逆止弁８９を介して接続されており、この構成により、貯湯タンク９０では、上部９０ａから湯水Ｗが取り出されると同時に、下部９０ｂから湯水Ｗが、給水管路８２、三方弁７３、及び底部管路７２を介して供給されることになる。
これまで説明してきたように、加熱貯湯循環路６０、湯水バイパス路６７、蓄熱暖房用湯水通流路７０が、湯水循環路として働く。
【００４４】
暖房用循環路３４に関し説明を加えると、暖房用循環路３４は、戻りヘッダ３２を通過した熱媒Ｈの全量をコージェネレーションシステム４０へ導く本体側熱媒流路１０４（熱媒循環路に含まれる概念）を有すると共に、当該本体側熱媒流路１０４を通流する熱媒Ｈの一部又は全部を、暖房用熱交換器５６の側へバイパスする熱媒バイパス路１０４ｂとを有する。
説明を追加すると、本体側熱媒流路１０４は、本体側熱媒受入部５８ａ及び本体側熱媒吐出部５８ｂを介して、コージェネレーションシステム４０の筐体内に配設される筐体内本体側熱媒流路１０４ａ（熱媒循環路に含まれる概念）に接続されている。更に、当該筐体内本体側熱媒流路１０４ａの側と、熱媒バイパス路１０４ｂの側への熱媒Ｈの配分流量を調整可能な、熱媒三方調整弁１１３が設けられている。
筐体内本体側熱媒流路１０４ａには、筐体内本体側熱媒流路１０４ａと熱媒バイパス路１０４ｂの双方を通流した熱媒が合流する部位の下流側の熱媒温度である熱媒合流温度を検出する第１６温度センサ１０２ｂが設けられている。
詳細については後述するが、本体側制御部９５は、熱媒三方調整弁１１３により、筐体内本体側熱媒流路１０４ａの側と熱媒バイパス路１０４ｂの側への熱媒Ｈの配分流量を調整する形態で、熱媒循環状態制御を実行するように構成されている。
ここで、当該第１実施形態に係るコージェネレーションシステム４０にあっては、その筐体内に熱媒Ｈを圧送する熱媒ポンプを備えておらず、熱源機１０の内部に設けられる熱媒ポンプ１９の吐出圧力にて熱媒が循環される。
【００４５】
以上のような構成により、コージェネレーションシステム４０は、以下に示す、給湯制御を実行することにより実現される給湯運転と、冷却水循環状態制御、湯水流量制御、及び熱媒循環状態制御を実行することにより実現される貯湯運転及び暖房運転とを実行可能とされる。
具体的には、本体側制御部９５が、冷却水循環路４２に冷却水Ｃを循環する冷却水循環状態制御を実行している状態で、冷却水Ｃが高温状態の時には、冷却水の温度に基づいて、排熱回収熱交換器５５を通流する湯水Ｗの流量を制御する湯水流量制御を実行すると共に、冷却水Ｃが中温もしくは高温状態の時には、筐体内本体側熱媒流路１０４ａの熱媒Ｈと熱媒バイパス路１０４ｂの熱媒Ｈが合流した下流側の熱媒合流温度に基づいて、熱媒バイパス路１０４ｂへの熱媒配分流量を制御し、冷却水Ｃが低温状態の時には、冷却水Ｃの温度に基づいて、熱媒バイパス路１０４ｂへの熱媒配分流量を制御する熱媒循環状態制御を実行する。
【００４６】
ここで、暖房運転には、熱源機側出熱媒温度の目標温度が高温である高温暖房運転と、当該目標温度が低温である低温暖房運転とがあり、更に、低温暖房運転には、ホットダッシュ運転、通常低温暖房運転、床暖房低負荷運転があり、夫々の運転における目標温度は、異なる温度となっている。
以下では、給湯運転を実現するための給湯制御につき説明した後、貯湯運転及び暖房運転を実現するための冷却水循環状態制御、湯水流量制御、及び熱媒循環状態制御について説明する。
【００４７】
（給湯制御）
図２に示すように、給湯制御は、給湯栓３０が開栓されることで熱源機１０の熱源機側出水部２０ｂから給湯栓３０へ湯水Ｗが供給され、それに伴って本体側出水部７８ａから熱源機側入水部２０ａへ湯水Ｗが供給され、それに伴って出湯管路７８に配置された流量センサ７９で湯水Ｗの通流が検知された状態で実行される。
かかる給湯制御では、貯湯タンク９０の上層の比較的高温の湯水Ｗが、上部９０ａから上部管路６６に取り出されて、湯水三方調整弁７７を介して出湯管路７８に供給される。
更に、この給湯制御では、一旦、目標出水温度を、熱源機１０側から入力を受け付けた設定給湯温度と等しい温度又は同設定給湯温度よりも放熱分を考慮した若干高めの温度に決定した状態で、湯水三方調整弁７７の開度が制御される。
すなわち、第１１温度センサ７６で検出されるタンク取出湯水温度が目標出水温度以上である場合には、湯水三方調整弁７７において適当な湯水Ｗが混合されることで、目標出水温度の湯水Ｗが得られ、その湯水Ｗが熱源機１０の熱源機側入水部２０ａに供給されることになる。
熱源機１０においては、熱源機側入水温度が設定給湯温度以上であれば、その湯水Ｗを再加熱する必要がないために、熱源機１０で給湯運転が行われることなく、この設定給湯温度の湯水Ｗがそのまま給湯栓３０に供給されることになる。
【００４８】
一方、第１１温度センサ７６で検出されるタンク取出湯水温度が目標出水温度未満である場合には、目標出水温度を設定給湯温度よりも十分に低い温度（例えば３０℃）に設定して、湯水三方調整弁７７を介して供給される湯水Ｗの量を増加させ、本体側出水部７８ａから低く設定された目標出湯温度以下の湯水Ｗを吐出するようにする。
以上の給湯制御が実行される形態で給湯運転が実現される。
【００４９】
（冷却水循環状態制御）
冷却水循環状態制御は、冷却水循環路４２を循環する冷却水Ｃの循環状態を制御するものである。当該冷却水循環状態制御は、本体側制御部９５が、冷却水循環路４２に一定流量（例えば、５Ｌ／ｍｉｎ）で冷却水Ｃが循環するように、冷却水ポンプ４６の回転数を制御する。当該冷却水循環状態制御は、熱電併給部４１の運転と連動する形態で実行される。
【００５０】
（湯水流量制御）
湯水流量制御は、冷却水循環状態制御が実行されている状態において、図６に示す制御フローに従って、実行される制御である。
本体側制御部９５は、湯水流量制御が開始されると、三方調整弁６８の湯水バイパス路６７側の開度を全開（循環する湯水Ｗのすべてが湯水バイパス路６７を通流する状態）にする（＃１０１）。
本体側制御部９５は、湯水ポンプ６１が停止中で、バッファタンク５１の冷却水温度（第５温度センサ４９で検出される温度）が、第１閾値（例えば、７３℃）以上である場合（＃１０２）、湯水ポンプ６１を基準回転数で駆動開始し（＃１０３）、そうでない場合は何もせず、＃１１４の湯水流量制御を終了するか否かの判定ステップへ移行する。さらに、本体側制御部９５は、湯水ポンプ６１が運転中で、バッファタンク５１の冷却水温度（第５温度センサ４９で検出される温度）が、第２閾値（例えば、７０℃）以下である場合（＃１０４）、湯水ポンプ６１の駆動を停止した後（＃１０５）、＃１１４の湯水流量制御を終了するか否かの判定ステップへ移行し、そうでない場合は何もしない（＃１０６へ）。
【００５１】
本体側制御部９５は、暖房用熱交換器５６を通過した冷却水温度（第７温度センサ５３で検出される温度）が、冷却水目標温度（例えば、７２℃）より高い場合（＃１０６）、湯水ポンプ６１の回転数を増加させ（＃１０７）、そうでない場合は何もしない（＃１０８へ）。さらに、本体側制御部９５は、暖房用熱交換器５６を通過した冷却水温度（第７温度センサ５３で検出される温度）が、冷却水目標温度より低い場合（＃１０８）、湯水ポンプ６１の回転数を低下させ（＃１０９）、そうでない場合は何もしない（＃１１０へ）。
【００５２】
因みに、本体側制御部９５は、上記＃１０６〜＃１０９の制御において、湯水ポンプ６１の目標回転数（即ち、排熱回収熱交換器５５を通流する湯水の流量に比例する値）を、以下の〔式１〕に従って制御する。
【００５３】
目標回転数＝現在回転数＋Ａ（暖房用熱交換器を通過した冷却水温度−冷却水目標温度）                            ・・・・〔式１〕
ここで、Ａは正の定数であるとする。
【００５４】
以上の＃１０２〜＃１０９の湯水ポンプ６１の回転数制御により、主に、排熱回収熱交換器５５を通過する湯水Ｗの流量が制御されることとなる。
【００５５】
次に、本体側制御部９５は、湯水ポンプ６１が駆動している場合、貯湯タンク９０への貯湯温度を貯湯目標温度にすべく、以下の＃１１０〜＃１１３の制御を実行する。
本体側制御部９５は、排熱回収熱交換器５５を通過した湯水の温度（第９温度センサ６３で検出される温度）が、貯湯目標温度（例えば、７５℃）よりも高い場合（＃１１０）、三方調整弁６８の湯水バイパス路６７側の開度を減らし（＃１１１）、そうでない場合、何もしない（＃１１２へ）。さらに、本体側制御部９５は、排熱回収熱交換器５５を通過した湯水の温度が、貯湯目標温度よりも低い場合（＃１１２）、三方調整弁６８の湯水バイパス路６７側の開度を増やし（＃１１３）、そうでない場合、何もしない（＃１１４へ）。
【００５６】
本体側制御部９５は、冷却水循環状態制御が停止されたと判定した場合（＃１１４）、湯水流量制御停止処理として、湯水ポンプ６１の駆動を停止（回転数を零）し（＃１１５）、湯水流量制御を停止する。一方、冷却水循環状態制御が停止されない場合、＃１０２〜＃１１３の処理を繰り返し実行する。
【００５７】
尚、当該湯水流量制御が、後述する熱媒循環状態制御が実行されていない状態で、実行される場合、図３に示す貯湯運転が実行されていることとなる。
【００５８】
（熱媒循環状態制御）
熱媒循環状態制御は、冷却水循環状態制御が実行されている状態において、リモコン２７において暖房運転の開始ボタンが押操作された場合に実行される処理である。
当該熱媒循環状態制御は、主には、暖房運転を優先する処理である「熱媒循環状態制御第１処理」と、熱電併給部４１としてのエンジン駆動発電機の過冷却を防止する処理である「熱媒循環状態制御第２処理」とを、切り換える制御であるので、まず、「熱媒循環状態制御第１処理」と「熱媒循環状態制御第２処理」との夫々について説明する。
【００５９】
＜熱媒循環状態制御第１処理＞
本体側制御部９５は、熱媒循環状態制御が開始されると、まず、通信部９６を介して「目標温度」を受信する。当該「目標温度」は、リモコン２７にて設定される暖房運転の種類（高温暖房運転と、低温暖房運転とがあり、低温暖房運転には、ホットダッシュ運転、通常低温暖房運転、床暖房低負荷運転がある）ごとに異なる値であり、暖房運転の種類が切り換えられると、本体側制御部９５はその都度、「目標温度」を受信する。
【００６０】
熱媒循環状態制御第１処理においては、図８の制御フローに示すように、本体側制御部９５は、筐体内本体側熱媒流路１０４ａを通流した熱媒Ｈと熱媒バイパス路１０４ｂを通流した熱媒Ｈとの合流温度である熱媒合流温度（第１６温度センサ１０２ｂにて測定される温度）が、「目標温度」より高いか否かを判定（＃３０１）し、高い場合には、熱媒三方調整弁１１３の熱媒バイパス路１０４ｂ側の開度を減らし（＃３０２）、低い場合には何もしない（＃３０３へ）。
次に、本体側制御部９５は、熱媒合流温度（第１６温度センサ１０２ｂにて測定される温度）が、「目標温度」より低いか否かを判定（＃３０３）し、低い場合には、熱媒三方調整弁１１３の熱媒バイパス路１０４ｂ側の開度を増やし（＃３０４）、高い場合には何もしない（エンドへ）。
【００６１】
即ち、当該熱媒循環状態制御第１処理では、熱媒合流温度が「目標温度」となるように、熱媒三方調整弁１１３の熱媒バイパス路１０４ｂ側の開度を調整する処理であり、暖房運転が優先して実行されることとなる。
因みに、当該熱媒循環状態制御第１処理では、本体側制御部９５は、熱媒三方調整弁１１３の熱媒バイパス路１０４ｂ側の開度（目標位置）は、以下の〔式２〕に従って制御される。
【００６２】
目標位置＝現在位置＋Ｂ（目標温度−熱媒合流温度）・・・・〔式２〕
【００６３】
ここで、Ｂは正の定数であるとする。当該〔式２〕では、目標位置が大きいほど、熱媒三方調整弁１１３の熱媒バイパス路１０４ｂ側の開度は開き側へ制御される。
【００６４】
＜熱媒循環状態制御第２処理＞
熱媒循環状態制御第２処理においては、図９の制御フローに示すように、本体側制御部９５は、暖房用熱交換器５６を通過した冷却水温度（第７温度センサ５３で検出される温度）が、第１温度（例えば、６８℃）より高いか否かを判定（＃４０１）し、高い場合には、熱媒三方調整弁１１３の熱媒バイパス路１０４ｂ側の開度を増やし（＃４０２）、低い場合には何もしない（＃４０３へ）。
次に、本体側制御部９５は、暖房用熱交換器５６を通過した冷却水温度が、第１温度より低いか否かを判定（＃４０３）し、低い場合には、熱媒三方調整弁１１３の熱媒バイパス路１０４ｂ側の開度を減らし（＃４０４）、高い場合には何もしない（エンドへ）。
【００６５】
即ち、当該熱媒循環状態第２処理では、暖房用熱交換器５６を通過した冷却水温度（第７温度センサ５３で検出される温度）が、第１温度（例えば、６８℃）となるように、熱媒三方調整弁１１３の熱媒バイパス路１０４ｂ側の開度を調整する。当該処理は、熱電併給部４１に導かれる冷却水Ｃの温度を、少なくともその下限許容温度以上に保つ処理である。
因みに、当該熱媒循環状態制御第２処理では、本体側制御部９５は、熱媒三方調整弁１１３の熱媒バイパス路１０４ｂ側の開度（目標位置）は、以下の〔式３〕に従って制御される。
【００６６】
目標位置＝現在位置＋Ｃ（暖房用熱交換器を通過した冷却水温度−第１温度）・・・〔式３〕
【００６７】
ここで、第１温度は、例えば６８℃に設定され、Ｃは正の定数であるとする。当該〔式３〕では、目標位置が大きいほど、熱媒三方調整弁１１３の熱媒バイパス路１０４ｂ側の開度は開き側へ制御される。
【００６８】
以下、上述した「熱媒循環状態制御第１処理」と「熱媒循環状態制御第２処理」の切り換え制御を含む熱媒循環状態制御について、説明する。
上述したように、熱媒循環状態制御は、冷却水循環状態制御が実行されている状態において、リモコン２７で暖房運転の開始ボタンが押操作された場合に実行される処理であり、本体側制御部９５は、熱媒循環状態制御が開始されると、まず、通信部９６を介して「目標温度」を受信する。当該「目標温度」は、「熱媒循環状態制御第１処理」を実行する場合に用いられる。
本体側制御部９５は、バッファタンク５１の冷却水温度（第５温度センサ４９で検出される温度）が、第３閾値（例えば、６６℃）以上か否かを判定（＃２０１）し、第３閾値以上の高い温度である場合、暖房運転を優先すべく、「熱媒循環状態制御第１処理」を実行し（＃２０３）、第３閾値未満の場合、熱電併給部４１としてのエンジン駆動発電機の過冷却を防止するべく、「熱媒循環状態制御第２処理」を実行する（＃２０２）。
【００６９】
この後、本体側制御部９５は、現状で「熱媒循環状態制御第１処理」と「熱媒循環状態制御第２処理」との何れが実行されているかを判定（＃２０４）し、「熱媒循環状態制御第１処理」が実行されていると判定した場合、バッファタンク５１の冷却水温度（第５温度センサ４９で検出される温度）が、第３閾値よりも低い第４閾値（例えば、６３℃）以下か否かを判定（＃２０５）し、第４閾値以下である場合、即ち、暖房用熱交換器５６にて冷却水Ｃの熱が回収され過ぎている場合、熱電併給部４１としてのエンジン駆動発電機の過冷却を防止するべく、「熱媒循環状態制御第２処理」を実行する（＃２０７）。一方、バッファタンク５１の冷却水温度（第５温度センサ４９で検出される温度）が、第４閾値（例えば、６３℃）より高い場合、「熱媒循環状態制御第１処理」を実行する（＃２０６）。
【００７０】
尚、本体側制御部９５は、＃２０４の判定において、「熱媒循環状態制御第２処理」が実行されていると判定した場合、＃２０１、＃２０２、＃２０３と同一の処理を再度実行する（＃２０８、＃２０９、＃２１０）。
【００７１】
次に、本体側制御部９５は、冷却水循環状態制御が停止された、もしくはリモコン２７において暖房運転の終了ボタンが押操作されたと判定した場合（＃２１１）、熱媒循環状態制御終了処理として、熱媒三方調整弁１１３の熱媒バイパス路１０４ｂ側の開度を零とする。一方、冷却水循環状態制御が停止されない、且つリモコン２７において暖房運転の終了ボタンが押操作されない場合、＃２０４〜＃２１０の処理を繰り返し実行する。
【００７２】
冷却水循環状態制御が実行されるときで、リモコン２７において暖房運転の開始ボタンが押操作されておらず、熱媒循環状態制御が実行されていない場合、図３に示すような冷却水Ｃの循環状態が実現され、熱電併給部４１の排熱が貯湯タンク９０の湯水Ｗに貯留されることとなる。
【００７３】
冷却水循環状態制御が実行されるときで、リモコン２７において暖房運転の開始ボタンが押操作され、熱媒循環状態制御が実行され、湯水流量制御において湯水ポンプ６１が停止している場合、図４に示すように、排熱を蓄熱しない暖房運転が実行されることとなる。
【００７４】
冷却水循環状態制御が実行されるときで、リモコン２７において暖房運転の開始ボタンが押操作され、熱媒循環状態制御が実行されると共に、湯水流量制御において湯水ポンプ６１が駆動している場合、図５に示すような排熱の一部を蓄熱する暖房運転が実行されることとなる。
【００７５】
〔湯水の温度変化速度に係る時定数と熱媒の温度変化速度に係る時定数との関係〕
当該第１実施形態においては、本体側制御部９５は、湯水流量制御において、冷却水の温度が冷却水目標温度になるように、排熱回収熱交換器を通流する湯水の流量を制御する時定数を、熱媒循環状態制御において、熱媒合流温度が熱媒目標温度になるように、熱媒バイパス路への熱媒配分流量を制御する時定数の２倍以上に設定している。
具体的には、本体側制御部９５は、上述した〔式１〕に従って、湯水ポンプ６１の回転数を目標回転数まで変化させる時間（第１実施形態にあっては、当該時間を時定数とする）を、上述した〔式２〕に従って、熱媒三方調整弁１１３の開度を目標位置まで変化させる時間の２倍以上となるように、上述した湯水流量制御及び熱媒循環状態制御を実行している。
【００７６】
［第２実施形態］
当該第２実施形態に係るコージェネレーションシステム４０、及びそれを備えた暖房設備１００は、第１実施形態に係るコ−ジェネレーションシステム４０、及びそれを備えた暖房設備１００に比して、冷却水循環路４２に係る構成、及び本体側熱媒流路１０４に係る構成、冷却水循環状態制御、及び熱媒循環状態制御が異なる。
そこで、以下では、第１実施形態と異なる構成及び制御について、重点的に説明し、上記第１実施形態と同一の構成及び同一の制御ステップについては同一の符号を付すこととし、その説明を割愛することがある。
尚、当該第２実施形態に係るコージェネレーションシステム４０、及びそれを備えた暖房設備１００において、熱源機１０の構成としては、図１に示す第１実施形態に係る暖房設備１００と変わるところがない。
【００７７】
〔コ−ジェネレーションシステム〕
第２実施形態に係るコ−ジェネレーションシステム４０について、図１０〜１３に基づいて説明する。
【００７８】
当該第２実施形態に係る冷却水循環路４２には、冷却水Ｃの循環方向に沿って、冷却水Ｃを送り出す冷却水ポンプ４６、冷却水の通流を断続可能な電磁弁４７、熱電併給部４１における冷却水ジャケット（図示省略）、当該冷却水ジャケットから吐出された冷却水Ｃの温度を検出する第６温度センサ５０、排熱回収熱交換器５５、冷却水Ｃを一時的に蓄えるバッファタンク５１、が記載の順で配置される冷却水幹線循環路４２ａが含まれる。
更に、冷却水循環路４２には、冷却水Ｃの循環方向で、排熱回収熱交換器５５の下流側でバッファタンク５１の上流側において冷却水幹線循環路４２ａを循環する冷却水Ｃの一部又は全部を暖房用熱交換器５６の側へバイパスする冷却水バイパス路４２ｂが含まれる。
説明を追加すると、冷却水幹線循環路４２ａと冷却水バイパス路４２ｂとの接続部位には、冷却水幹線循環路４２ａの側と冷却水バイパス路４２ｂの側への冷却水Ｃの配分流量を調整可能な冷却水三方調整弁４２ｃとが設けられている。
詳細については後述するが、本体側制御部９５は、冷却水三方調整弁４２ｃにより、冷却水幹線循環路４２ａの側と冷却水バイパス路４２ｂの側への冷却水Ｃの配分流量を調整して、冷却水循環状態制御を実行するように構成されている。
また、暖房用熱交換器５６の下流側（冷却水幹線循環路４２ａと冷却水バイパス路４２ｂとの下流側接続部位の下流側）でバッファタンク５１の上流側には、冷却水Ｃの温度を検出する第７温度センサ５３が設けられており、排熱回収熱交換器５５の下流側で暖房用熱交換器５６の上流側（冷却水幹線循環路４２ａと冷却水バイパス路４２ｂとの上流側接続部位の上流側）には、冷却水Ｃの温度を検出する第８温度センサ５４が設けられている。
尚、当該第２実施形態において、後述する各種制御で、冷却水Ｃの温度に基づいた制御を行うが、これらの制御において、冷却水Ｃの温度は第５温度センサ４９で検出される温度、もしくは第７温度センサ５３で検出される温度を用いることとする。尚、以下の説明において、『バッファタンクの冷却水温度』は第５温度センサ４９で検出される温度を、『暖房用熱交換器を通過した冷却水温度』は第７温度センサ５３で検出される温度を意味するものとする。
【００７９】
排熱回収熱交換器５５は、冷却水幹線循環路４２ａを通流する冷却水Ｃと加熱貯湯循環路６０を通流する湯水Ｗとの間で熱交換を行うように構成されている。一方、暖房用熱交換器５６は、冷却水バイパス路４２ｂを通流する冷却水Ｃと本体側熱媒流路１０４を通流する熱媒Ｈとの間で熱交換を行うように構成されている。
即ち、熱電併給部４１において熱を発生している状態で、冷却水ポンプ４６を作動させて、冷却水循環路４２に冷却水Ｃを循環させると、熱電併給部４１を通過して加熱された冷却水Ｃが、排熱回収熱交換器５５及び暖房用熱交換器５６を通過することで湯水Ｗ及び熱媒Ｈとの間で熱交換を行い、再び熱電併給部４１に供給されることになる。
【００８０】
暖房用循環路３４に関し説明を加えると、当該第２実施形態に係る暖房用循環路３４は、戻りヘッダ３２を通過した熱媒Ｈの全量をコージェネレーションシステム４０へ導く本体側熱媒流路１０４（熱媒循環路に含まれる概念）を有する。即ち、当該第２実施形態に係る暖房用循環路３４は、第１実施形態に係る暖房用循環路３４が備えた熱媒バイパス路を備えない構成を採用している。
本体側熱媒流路１０４には、熱媒Ｈの流れ方向で暖房用熱交換器５６の下流側（暖房用熱交換器５６の出口）の熱媒温度を検出する第１６温度センサ１０２ｂが設けられている。
【００８１】
以上のような構成により、コージェネレーションシステム４０は、以下に示す、給湯制御を実行することにより実現される給湯運転と、冷却水基準循環状態制御、冷却水循環状態制御、及び湯水流量制御を実行することにより実現される貯湯運転及び暖房運転とを実行可能とされる。
具体的には、本体側制御部９５が、冷却水循環路４２に冷却水Ｃを循環する冷却水基準循環状態制御を実行している状態で、冷却水Ｃが高温状態の時には、冷却水Ｃの温度に基づいて、排熱回収熱交換器５５を通流する湯水Ｗの流量を制御する湯水流量制御を実行すると共に、冷却水Ｃが中温もしくは高温状態の時には、暖房用熱交換器５６の出口の熱媒Ｈの温度に基づいて、冷却水バイパス路４２ｂへの冷却水配分流量を制御する冷却水循環状態制御を実行する。
【００８２】
因みに、上述の給湯運転を実現するための給湯制御については、上述した第１実施形態における給湯制御と実質的に同一の制御であり、当該給湯制御が実行されることにより、図１０に示す給湯運転が実現される。
以下では、貯湯運転及び暖房運転を実現するための冷却水基準循環状態制御、湯水流量制御、及び冷却水循環状態制御について説明する。
【００８３】
（冷却水基準循環状態制御）
当該冷却水基準循環状態制御は、冷却水循環路４２を循環する冷却水Ｃの循環状態を制御するものであり、本体側制御部９５が、冷却水循環路４２に一定流量（例えば、５Ｌ／ｍｉｎ）で冷却水Ｃが循環するように、冷却水ポンプ４６の回転数を制御する。当該冷却水基準循環状態制御は、熱電併給部４１の運転と連動する形態で実行される。
【００８４】
（湯水流量制御）
湯水流量制御は、冷却水基準循環状態制御が実行されている状態において、図６に示す制御フローに従って、実行される制御であり、第１実施形態に示した湯水流量制御と実質的に変わるところがない。
尚、当該湯水流量制御が、後述する冷却水循環状態制御が実行されていない状態で、実行される場合、図１１に示す貯湯運転が実行されることとなる。
【００８５】
（冷却水循環状態制御）
冷却水循環状態制御は、冷却水基準循環状態制御が実行されている状態において、リモコン２７において暖房運転の開始ボタンが押操作された場合に実行される処理である。
当該冷却水循環状態制御は、主には、暖房運転を優先する処理である「冷却水循環状態制御第１処理」と、熱電併給部４１としてのエンジン駆動発電機の過冷却を防止する処理である「冷却水循環状態制御第２処理」とを、切り換える制御であるので、まず、「冷却水循環状態制御第１処理」と「冷却水循環状態制御第２処理」との夫々について説明する。
【００８６】
＜冷却水循環状態制御第１処理＞
本体側制御部９５は、冷却水循環状態制御が開始されると、まず、通信部９６を介して「目標温度」を受信する。当該「目標温度」は、リモコン２７にて設定される暖房運転の種類（高温暖房運転と、低温暖房運転とがあり、低温暖房運転には、ホットダッシュ運転、通常低温暖房運転、床暖房低負荷運転がある）ごとに異なる値であり、暖房運転の種類が切り換えられると、本体側制御部９５はその都度、「目標温度」を受信する。
【００８７】
冷却水循環状態制御第１処理においては、図１５の制御フローに示すように、本体側制御部９５は、本体側熱媒流路１０４で暖房用熱交換器５６の出口の熱媒の温度（第１６温度センサ１０２ｂにて測定される温度）が、「目標温度」より高いか否かを判定（＃６０１）し、高い場合には、冷却水三方調整弁４２ｃの冷却水バイパス路４２ｂ側の開度を減らし（＃６０２）、低い場合には何もしない（＃６０３へ）。
次に、本体側制御部９５は、暖房用熱交換器５６の出口の熱媒の温度（第１６温度センサ１０２ｂにて測定される温度）が、「目標温度」より低いか否かを判定（＃６０３）し、低い場合には、冷却水三方調整弁４２ｃの冷却水バイパス路４２ｂ側の開度を増やし（＃６０４）、高い場合には何もしない（エンドへ）。
【００８８】
即ち、当該冷却水循環状態制御第１処理では暖房用熱交換器５６の出口の熱媒の温度が、「目標温度」となるように、冷却水三方調整弁４２ｃの冷却水バイパス路４２ｂ側の開度を調整する処理であり、暖房運転が優先して実行されることとなる。
因みに、当該冷却水循環状態制御第１処理では、本体側制御部９５は、冷却水三方調整弁４２ｃの冷却水バイパス路４２ｂ側の開度（目標位置）は、以下の〔式４〕に従って制御される。
【００８９】
目標位置＝現在位置＋Ｂ（目標温度−暖房用熱交換器出口の熱媒温度）・・・〔式４〕
【００９０】
ここで、Ｂは正の定数であるとする。当該〔式４〕では、目標位置が大きいほど、冷却水三方調整弁４２ｃの冷却水バイパス路４２ｂ側の開度は開き側へ制御される。
【００９１】
＜冷却水循環状態制御第２処理＞
冷却水循環状態制御第２処理においては、図１６の制御フローに示すように、本体側制御部９５は、暖房用熱交換器５６を通過した冷却水温度（冷却水Ｃの流れ方向で、冷却水幹線循環路４２ａと冷却水バイパス路４２ｂとの下流側接続部位の下流側で、バッファタンク５１の上流側の温度：第７温度センサ５３で検出される温度）が、第１温度（例えば、６８℃）より高いか否かを判定（＃７０１）し、高い場合には、冷却水三方調整弁４２ｃの冷却水バイパス路４２ｂ側の開度を増やし（＃７０２）、低い場合には何もしない（＃７０３へ）。
次に、本体側制御部９５は、暖房用熱交換器５６を通過した冷却水温度が、第１温度より低いか否かを判定（＃７０３）し、低い場合には、冷却水三方調整弁４２ｃの冷却水バイパス路４２ｂ側の開度を減らし（＃７０４）、高い場合には何もしない（エンドへ）。
【００９２】
即ち、当該冷却水循環状態第２処理では、暖房用熱交換器５６を通過した冷却水温度が、第１温度（例えば、６８℃）となるように、冷却水三方調整弁４２ｃの冷却水バイパス路４２ｂ側の開度を調整する。当該処理は、熱電併給部４１に導かれる冷却水Ｃの温度を、少なくともその下限許容温度以上に保つ処理である。
因みに、当該冷却水循環状態制御第２処理では、本体側制御部９５は、冷却水三方調整弁４２ｃの冷却水バイパス路４２ｂ側の開度（目標位置）は、以下の〔式５〕に従って制御される。
【００９３】
目標位置＝現在位置＋Ｃ（暖房用熱交換器を通過した冷却水温度−第１温度）
・・・〔式５〕
【００９４】
ここで、第１温度は、例えば６８℃に設定され、Ｃは正の定数であるとする。当該〔式５〕では、目標位置が大きいほど、冷却水三方調整弁４２ｃの冷却水バイパス路４２ｂ側の開度は開き側へ制御される。
【００９５】
以下、上述した「冷却水循環状態制御第１処理」と「冷却水循環状態制御第２処理」の切り換え制御を含む冷却水循環状態制御について、説明する。
上述したように、冷却水循環状態制御は、冷却水基準循環状態制御が実行されている状態において、リモコン２７で暖房運転の開始ボタンが押操作された場合に実行される処理であり、本体側制御部９５は、冷却水循環状態制御が開始されると、まず、通信部９６を介して「目標温度」を受信する。当該「目標温度」は、「冷却水循環状態制御第１処理」を実行する場合に用いられる。
本体側制御部９５は、バッファタンク５１の冷却水温度（第５温度センサ４９で検出される温度）が、第３閾値（例えば、６６℃）以上か否かを判定（＃５０１）し、第３閾値以上の高い温度である場合、暖房運転を優先すべく、「冷却水循環状態制御第１処理」を実行し（＃５０３）、第３閾値未満の場合、熱電併給部４１としてのエンジン駆動発電機の過冷却を防止するべく、「冷却水循環状態制御第２処理」を実行する（＃５０２）。
【００９６】
この後、本体側制御部９５は、現状で「冷却水循環状態制御第１処理」と「冷却水循環状態制御第２処理」との何れが実行されているかを判定（＃５０４）し、「冷却水循環状態制御第１処理」が実行されていると判定した場合、バッファタンク５１の冷却水温度（第５温度センサ４９で検出される温度）が、第３閾値よりも低い第４閾値（例えば、６３℃）以下か否かを判定（＃５０５）し、第４閾値以下である場合、即ち、暖房用熱交換器５６にて冷却水Ｃの熱が回収され過ぎている場合、熱電併給部４１としてのエンジン駆動発電機の過冷却を防止するべく、「冷却水循環状態制御第２処理」を実行する（＃５０７）。一方、バッファタンク５１の冷却水温度（第５温度センサ４９で検出される温度）が、第４閾値（例えば、６３℃）より高い場合、「冷却水循環状態制御第１処理」を実行する（＃５０６）。
【００９７】
尚、本体側制御部９５は、＃５０４の判定において、「冷却水循環状態制御第２処理」が実行されていると判定した場合、＃５０１、＃５０２、＃５０３と同一の処理を再度実行する（＃５０８、＃５０９、＃５１０）。
【００９８】
次に、本体側制御部９５は、冷却水基準循環状態制御が停止された、もしくはリモコン２７において暖房運転の終了ボタンが押操作されたと判定した場合（＃５１１）、冷却水循環状態制御終了処理として、冷却水三方調整弁４２ｃの冷却水バイパス路４２ｂ側の開度を零とする。一方、冷却水基準循環状態制御が停止されない、且つリモコン２７において暖房運転の終了ボタンが押操作されない場合、＃５０４〜＃５１０の処理を繰り返し実行する。
【００９９】
冷却水基準循環状態制御が実行されるときで、リモコン２７において暖房運転の開始ボタンが押操作されておらず、冷却水循環状態制御が実行されていない場合、図１１に示すような冷却水Ｃの循環状態が実現され、熱電併給部４１の排熱が貯湯タンク９０の湯水Ｗに貯留されることとなる。
【０１００】
冷却水基準循環状態制御が実行されるときで、リモコン２７において暖房運転の開始ボタンが押操作され、冷却水循環状態制御が実行され、湯水流量制御において湯水ポンプ６１が停止している場合、図１２に示すように、排熱を蓄熱しない暖房運転が実行されることとなる。
【０１０１】
冷却水基準循環状態制御が実行されるときで、リモコン２７において暖房運転の開始ボタンが押操作され、冷却水循環状態制御が実行されると共に、湯水流量制御において湯水ポンプ６１が駆動している場合、図１３に示すような排熱の一部を蓄熱する暖房運転が実行されることとなる。
【０１０２】
〔湯水の温度変化速度に係る時定数と冷却水の温度変化速度に係る時定数との関係〕
当該第２実施形態においては、本体側制御部９５は、湯水流量制御において、冷却水の温度が冷却水目標温度になるように、排熱回収熱交換器５５を通流する湯水の流量を制御する時定数を、冷却水循環状態制御において、暖房用熱交換器５６の出口の熱媒の温度が熱媒目標温度になるように、冷却水バイパス路４２ｂへの冷却水配分流量を制御する時定数の２倍以上に設定している。
具体的には、本体側制御部９５は、上述した〔式１〕に従って、湯水ポンプ６１の回転数を目標回転数まで変化させる時間（当該第２実施形態にあっては、当該時間を時定数とする）を、上述した〔式４〕に従って、冷却水三方調整弁４２ｃの開度を目標位置まで変化させる時間の２倍以上となるように、上述した湯水流量制御及び冷却水循環状態制御を実行している。
【０１０３】
〔別実施形態〕
（１）上記第１実施形態にあっては、本体側制御部９５は、冷却水循環路４２に冷却水を循環する冷却水循環状態制御を実行している状態で、冷却水が低温状態の時には、冷却水の温度に基づいて、熱媒バイパス路１０４ｂへの熱媒配分流量を制御する熱媒循環状態制御を実行する例を示した。
しかしながら、本体側制御部９５は、冷却水循環路４２に冷却水を循環する冷却水循環状態制御を実行している状態で、冷却水が低温状態の時には、熱媒バイパス路１０４ｂへの熱媒配分流量を零に制御する熱媒循環状態制御を実行しても構わない。
換言すると、上述した熱媒循環状態制御第２処理において、＃７０１〜＃７０４のステップを、熱媒三方調整弁１１３の熱媒バイパス路１０４側の開度を零にする制御に置き換えても構わない。又は、上述した熱媒循環状態制御第２処理において、＃７０４のステップを、熱媒三方調整弁１１３の熱媒バイパス路１０４側の開度を零にする制御に置き換えても構わない。
【０１０４】
（２）上記第１実施形態にあっては、本体側制御部９５は、上述した〔式１〕に従って、湯水ポンプ６１の回転数を目標回転数まで変化させる時間（第１実施形態にあっては、当該時間を、時定数とする）を、上述した〔式２〕に従って、熱媒三方調整弁１１３の開度を目標位置まで変化させる時間の２倍以上となるように、上述した湯水流量制御及び熱媒循環状態制御を実行する例を示した。
しかしながら、本体側制御部９５は、上述した〔式１〕に従って、湯水ポンプ６１の回転数を目標回転数まで変化させる時間を、上述した〔式２〕に従って、熱媒三方調整弁１１３の開度を目標位置まで変化させる時間の半分以下となるように、上述した湯水流量制御及び熱媒循環状態制御を実行しても構わない。
【０１０５】
（３）上記第２実施形態にあっては、本体側制御部９５は、冷却水循環路４２に冷却水を循環する冷却水基準循環状態制御を実行している状態で、冷却水が低温状態の時には、冷却水の温度に基づいて、冷却水バイパス路４２ｂへの冷却水配分流量を制御する冷却水循環状態制御を実行する例を示した。
しかしながら、本体側制御部９５は、冷却水循環路４２に冷却水を循環する冷却水基準循環状態制御を実行している状態で、冷却水が低温状態の時には、冷却水バイパス路４２ｂへの冷却水配分流量を零に制御する冷却水循環状態制御を実行しても構わない。
換言すると、上述した冷却水循環状態制御第２処理において、＃７０１〜＃７０４のステップを、冷却水三方調整弁４２ｃの冷却水バイパス路４２ｂ側の開度を零にする制御に置き換えても構わない。又は、上述した冷却水循環状態制御第２処理において、＃７０４のステップを、冷却水三方調整弁４２ｃの冷却水バイパス路４２ｂ側の開度を零にする制御に置き換えても構わない。
【０１０６】
（４）上記第２実施形態にあっては、本体側制御部９５は、上述した〔式１〕に従って、湯水ポンプ６１の回転数を目標回転数まで変化させる時間を、上述した〔式４〕に従って、冷却水三方調整弁４２ｃの開度を目標位置まで変化させる時間の２倍以上となるように、上述した湯水流量制御及び冷却水循環状態制御を実行する例を示した。
しかしながら、本体側制御部９５は、上述した〔式１〕に従って、湯水ポンプ６１の回転数を目標回転数まで変化させる時間を、上述した〔式４〕に従って、冷却水三方調整弁４２ｃの開度を目標位置まで変化させる時間の半分以下となるように、上述した湯水流量制御及び冷却水循環状態制御を実行しても構わない。
【０１０７】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【０１０８】
本発明のコージェネレーションシステム、及び暖房設備は、暖房運転の有無や、熱媒の流量の有無に応じて切り換える必要のない簡易な構成、且つシンプルな制御で貯湯動作を実行できるコージェネレーションシステム、及び暖房設備として、有効に利用可能である。
【符号の説明】
【０１０９】
１０      ：熱源機
３３      ：暖房放熱器
３４      ：暖房用循環路
４０      ：コージェネレーションシステム
４１      ：熱電併給部
４２      ：冷却水循環路
４２ｂ    ：冷却水バイパス路
５５      ：排熱回収熱交換器
５６      ：暖房用熱交換器
９０      ：貯湯タンク
９５      ：本体側制御部
１００    ：暖房設備
１０４    ：本体側熱媒流路
１０４ａ  ：筐体内本体側熱媒流路
１０４ｂ  ：熱媒バイパス路
Ｃ        ：冷却水
Ｈ        ：熱媒
Ｗ        ：湯水
【図１】
2017020774.tif 000003
【図２】
2017020774.tif 000004
【図３】
2017020774.tif 000005
【図４】
2017020774.tif 000006
【図５】
2017020774.tif 000007
【図６】
2017020774.tif 000008
【図７】
2017020774.tif 000009
【図８】
2017020774.tif 000010
【図９】
2017020774.tif 000011
【図１０】
2017020774.tif 000012
【図１１】
2017020774.tif 000013
【図１２】
2017020774.tif 000014
【図１３】
2017020774.tif 000015
【図１４】
2017020774.tif 000016
【図１５】
2017020774.tif 000017
【図１６】
2017020774.tif 000018